(57)【要約】【課題】水中設置構造体の本来の機能を発揮するとともに、貝類、甲殻類、棘皮動物等を外敵から保護しつつ生育可能とする水中設置構造体を提供する。【解決手段】根固めブロック１の表面に形成した溝部２で、貝類、甲殻類、棘皮動物等の生物が生育し、成長して大きくなるにつれて、溝部２の溝幅Ｗのより広く、溝深さＤのより深い位置に移動して、自分の体の大きさに合致した安全な生息場所にすることができ、成長段階において生息場所を探すために溝部２から離れて移動する必要がなく、外敵に襲われる危険性がなくなる。【選択図】    図３
2006265861.tif 000002
【特許請求の範囲】
【請求項１】
海等の水中に設置する水中設置構造体であって、前記構造体の表面に溝部を設け、該溝部の幅が無段階的にまたは段階的に広くなるとともに、この溝幅が広くなる溝長手方向に対して溝深さが無段階的にまたは段階的に深くなることを特徴とする水中設置構造体。
【請求項２】
前記溝部の側壁と、溝部の底面に垂直な垂線とで規定されるテーパ角度がマイナス４５°以上プラス４５°以下である請求項１に記載の水中設置構造体。
【請求項３】
前記水中設置構造体がコンクリートからなる根固めブロックまたは消波ブロックである請求項１または２に記載の水中設置構造体。
【発明の詳細な説明】
【技術分野】
【０００１】
本発明は、水中設置構造体に関し、さらに詳しくは、水中設置構造体の本来の機能を発揮するとともに、貝類、甲殻類、棘皮動物等を外敵から保護しつつ生育可能とする水中構造体に関するものである。
【背景技術】
【０００２】
従来、根固めブロックや消波ブロック等は、本来の機能を果たすことだけを考慮して設計されており、例えば、これらの表面はブロックを製造する際に用いる型枠の簡素化、コスト等の観点から平面状であった。近年においては、根固めブロック等のコンクリート構造体の表面に可撓性のある凹凸部を設けて本来の機能を果たしつつ、魚類、藻類等を繁殖させる付加機能を有するものが提案されている（特許文献１参照）。また、水中に設置する漁礁としてはコンクリートブロックの表面に溝部や凹凸部を設けたものが提案されている（例えば、特許文献２参照）。
【０００３】
これらの提案では、ブロック等の構造体の表面に設けた溝部や凹凸部等は、幅または深さが一定という画一的な形状であり、また、このような画一的な溝部や凹凸部等が、大きさや形状を変えて散在しているものであった。
【０００４】
ところで、磯辺の岩の穴部等に生息する貝類、甲殻類や棘皮動物等の生物は、一般に成長して体が大きくなるにつれて、同じ穴部等に生息し続けることができなくなる。そこで、成長段階において、外敵から身を守ることが可能な自分の体の大きさに合致したより大きな生息場所を探すために従前の穴部等を離れて移動する。
【０００５】
したがって、従来提案されているブロックの溝部や凹凸部等では、成長段階で生息場所を替える移動の際に、外敵に襲われる危険性が高くなり、貝類や甲殻類等の生物が外敵から身を守って生育するには適していないという問題があった。
【特許文献１】特開２００２−３２２６３１号公報
【特許文献２】特開２０００−３００１０９号公報
【発明の開示】
【発明が解決しようとする課題】
【０００６】
本発明の目的は、水中設置構造体の本来の機能を発揮するとともに、貝類、甲殻類、棘皮動物等を外敵から保護しつつ生育可能とする水中設置構造体を提供することにある。
【課題を解決するための手段】
【０００７】
上記目的を達成するため本発明の水中設置構造体は、海等の水中に設置する水中設置構造体であって、前記構造体の表面に溝部を設け、該溝部の幅が無段階的にまたは段階的に広くなるとともに、この溝幅が広くなる溝長手方向に対して溝深さが無段階的にまたは段階的に深くなることを特徴とするものである。
【発明の効果】
【０００８】
本発明の水中設置構造体によれば、海等の水中に設置する水中設置構造体であって、構造体の表面に溝部を設け、この溝部の幅が無段階的にまたは段階的に広くなるとともに、この溝幅が広くなる溝長手方向に対して溝深さが無段階的にまたは段階的に深くなるので、貝類、甲殻類、棘皮動物等の生物は成長して大きくなるにつれて、溝部のより広くて深い位置に移動して生育することができる。即ち、貝類、甲殻類、棘皮動物等の生物が成長段階において従前の溝部を離れて、自分の体の大きさに合致した生息場所を探す必要がなく、外敵に襲われる危険性を低減させることが可能となる。
【０００９】
また、水中設置構造体は、表面に上記した溝部を付加した仕様となるだけなので、水中に設置されて水中構造体の本来の機能を果たすことができる。
【発明を実施するための最良の形態】
【００１０】
以下、本発明の水中設置構造体を図に示した実施形態に基づいて説明する。図１は、水中設置構造体を根固めブロック１とした場合の第１の実施形態であり、図１（ａ）に平面図、図１（ｂ）に正面図を示している。この根固めブロック１はコンクリートで形成され、上下面にそれぞれ４つの脚部３と中央部に穴部４を有し、複数の根固めブロック１が海中等に並んで敷設されて、根固めとして用いられる。
【００１１】
根固めブロック１の上下面および側面の表面には、溝部２が形成されている。溝部２は、図３（ａ）に拡大した平面形状、図３（ｂ）に図３（ａ）のＡ−Ａ断面を示すように、溝長手方向に溝幅Ｗが無段階的に徐々に広くなるとともに、溝幅Ｗが広くなる溝長手方向に対して溝深さＤが無段階的に徐々に深くなっている。
【００１２】
溝幅Ｗおよび溝深さＤは、例えば、それぞれ１ｃｍ〜２０ｃｍ程度の範囲内とし、溝長さは２０ｃｍ〜１５０ｃｍ程度として、生育させる生物によって最適な寸法を採用する。
【００１３】
このように、溝部２の溝長手方向の位置によって、溝部２の幅方向断面積が徐々に大きく（小さく）なっているので、貝類、甲殻類、棘皮動物等の生物は、成長段階に応じて一つの溝部２内を移動することによって、自分に体の大きさに合致した場所を見つけることができる。即ち、成長段階において、より大きな生息場所を探すために従前の溝部２を離れて移動する必要がないので、この移動の際の外敵に襲われる危険性なくなり、安全で快適な生息場所を提供することが可能となっている。
【００１４】
この溝部２で生育する貝類、甲殻類、棘皮動物としては、アワビ、サザエ、カニ、エビ、ウニ、ヒトデ、ナマコ等を例示することができる。
【００１５】
図３（ａ）で示した溝部２の幅方向断面は、図７（ａ）に示すように底面から表面に向かって溝幅Ｗが大きくなる台形にすると、根固めブロック１の製造時に溝部２から型枠を取り外し易くなる。尚、台形に限らず円弧形状等にすることもできる。
【００１６】
一方、溝部２の幅方向断面を図７（ｂ）に示すように、底面から表面に向かって溝幅Ｗが小さくなる台形、いわゆる逆テーパ形状とすることもできる。逆テーパ形状にすると、溝部２に生息する生物が外敵から身を守りやすくなり、生育にはさらに快適な環境となる。
【００１７】
図７（ａ）および図７（ｂ）に示した溝部２の側壁ＳＷと、溝部２の底面と垂直な垂線とで規定されるテーパ角度Ｔは、生息する生物の保護や根固めブロック１の製造容易性等を考慮するとマイナス４５°以上プラス４５°以下程度が好ましい。ここでマイナス角度は逆テーパを意味し、溝部２の底面が曲面や傾斜面の場合には、このテーパ角度Ｔは、根固めブロック１を製造する際のいわゆる型枠の抜きテーパ角度と規定する。
【００１８】
溝部２を逆テーパ形状にする場合の根固めブロック１の製造方法を図８に例示する。この製造には、型枠７と型枠７から容易に分割可能な分割型７ａを用いる。まず、図８（ａ）に示すように溝部２を形成する型枠７の逆テーパになる部分に分割型７ａを取り付けて、コンクリートを打設して所定期間養生する。その後、図８（ｂ）に示すように型枠７から分割型７ａを分割した後、型枠７を溝部２から取り外す。この逆テーパ形状を有する根固めブロック１の製造は、例示した方法に限らず、他の一般的な製造方法を採用することができる。
【００１９】
他の溝部２の形状を図４（ａ）に平面図、図４（ｂ）に図４（ａ）のＡ−Ａ断面図として示す。この溝部２は４つの溝部２ａ〜２ｄを十字状に連結したものであり、それぞれの溝部２ａ〜２ｄにおいて、溝幅Ｗが溝長手方向に無段階的に徐々に広くなるとともに、溝幅Ｗが広くなる溝長手方向に対して溝深さＤが無段階的に徐々に深くなっている。このように、複数の溝部２ａ〜２ｄを組み合わせることも可能で、組み合わせる溝部２の数や形状は適宜、決定できる。
【００２０】
図５（ａ）〜（ｃ）に溝部２の平面形状の他の例を示す。この溝部２は溝幅Ｗが溝長手方向に段階的に徐々に広くなっており、図５（ａ）の平面形状では段階的に広くなる溝長手方向が、すべて溝幅Ｗを一定とする直線となっており、図５（ｂ）では段階的に広くなる溝長手方向が、すべて角度を有して溝幅Ｗを変化させる直線であり、図５（ｃ）では溝幅Ｗを一定とする直線と溝幅Ｗを変化させる直線とが組み合わされて段階的に広くなる溝長手方向を形成している。このように、溝幅Ｗを段階的に徐々に広くする形状を採用することができ、直線に限らず、曲線を用いてもよい。
【００２１】
図６（ａ）〜（ｃ）に溝部２の溝長手方向縦断面形状の他の例を示す。この溝部２は溝幅Ｗが広くなる溝長手方向に対して溝深さＤが段階的に深くなっており、図５（ａ）の縦断面形状では段階的に深くなる溝長手方向が、すべて溝深さＤを一定とする直線となっており、図５（ｂ）では段階的に深くなる溝長手方向がすべて角度を有して溝深さＤを変化させる直線であり、図５（ｃ）では溝深さＤを一定とする直線と溝深さＤを変化させる直線とが組み合わされて段階的に深くなる溝長手方向を形成している。このように、溝深さＤを段階的に徐々に深くする形状を採用することができ、直線に限らず、曲線を用いてもよい。
【００２２】
図２に水中設置構造体を消波ブロック５とした場合の正面図を示す。この消波ブロック５はコンクリートで形成され、５つの突起部６を有しており、それぞれの突起部６の表面には既述したような、溝幅Ｗが無段階的にまたは段階的に広くなるとともに、溝幅Ｗが広くなる溝長手方向に対して溝深さＤが無段階的にまたは段階的に深くなる溝部６が形成されている。
【００２３】
これによって、消波ブロック５の本来の機能を発揮しつつ、表面に設けた溝部２によって貝類、甲殻類、棘皮動物等を外敵から保護しつつ生育することができる。消波ブロック５の外形は実施形態で例示したものに限定されない。
【００２４】
本発明は根固めブロック１や消波ブロック５の他にも、これらの同等物やケーソン等の水中設置構造体に適用することができ、また、海に設置するものに限らず河川、湖沼等の水中に設置する水中設置構造体に適用することができる。
【図面の簡単な説明】
【００２５】
【図１】本発明の水中設置構造体の第１の実施形態を例示し、図１（ａ）は平面図、図１（ｂ）は正面図である。
【図２】本発明の水中設置構造体の第２の実施形態を例示する平面図である。
【図３】本発明に係る溝部の形状を示す拡大図であり、図３（ａ）は平面図、図３（ｂ）は図３（ａ）のＡ−Ａ断面図である。
【図４】本発明に係る溝部の他の形状を示し、図４（ａ）は平面図、図４（ｂ）は図４（ａ）のＢ−Ｂ断面図である。
【図５】本発明に係る溝部のさらに別の形状を示す平面図である。
【図６】本発明に係る溝部のさらに別の形状を示す溝長手方向縦断面図である。
【図７】本発明に係る溝部の幅方向縦断面図である。
【図８】図７（ｂ）に示した溝部を製造する方法を例示した説明図である。
【符号の説明】
【００２６】
１  根固めブロック（水中設置構造体）
２  溝部        ３  脚部        ４  穴部
５  消波ブロック（水中設置構造体）
６  突起部
７  型枠      ７ａ  分割型
【図１】
2006265861.tif 000003
【図２】
2006265861.tif 000004
【図３】
2006265861.tif 000005
【図４】
2006265861.tif 000006
【図５】
2006265861.tif 000007
【図６】
2006265861.tif 000008
【図７】
2006265861.tif 000009
【図８】
2006265861.tif 000010